(57)【要約】【課題】コスト高になったり、デザインを損なうことなく、また、ネジの有る無しにかかわらず筐体が「がたつく」ことがないようにしっかりと固定できるようにする。【解決手段】筐体３を保持する取り付け具ＣのＣ形断面の開口１４の上方の端部に、下方に向けた突起１６を２個並列に間隔をおいて形成する。同様に、開口１４の下方の端部に上方に向けた２個の突起１６を並列に間隔を置いて形成して、その突起１６に、弾性体であるゴムを用いた厚みのあるキャップ１７を被せて筐体３に圧接する簡単な構成で、コスト高になったり、デザインを損なうことなく、また、ネジの有る無しにかかわらず筐体が「がたつく」ことがないようにしっかりと固定できるようにする。【選択図】図１
2005244078.tif 000002
【特許請求の範囲】
【請求項１】
電子機器の筐体を保持するＣ形断面の開口端に突起を設け、その突起に弾性体で形成したキャップを取り付けて筐体に圧接するようにした取り付け具。
【請求項２】
上記筐体をＬＡＮ用のルータのものとし、一方、前記筐体を保持する上記Ｃ形断面の背面に複数のＬ形の係止片を、Ｌ形の垂直部分を背面と並行になるようにＬ形上部の開口を外側にして設け、そのＬ形の垂直部分と対向するＣ形断面の背面との間にケーブルを巻き付けられるようにするとともに、その並行に設けた垂直部分に吊り下げ用の貫通孔を設けた請求項１に記載の取り付け具。
【請求項３】
上記筐体をＬＡＮ用のルータのものとし、一方、前記筐体を保持する上記Ｃ形断面の背面に複数のＬ形の係止片を、Ｌ形の垂直部分を背面と並行になるようにＬ形上部の開口を外側にして設け、そのＬ形の垂直部分と対向するＣ形断面の背面との間にケーブルを巻き付けられるようにするとともに、その並行に設けた垂直部分にネジ止め用の孔を設け、かつ、前記ネジ孔止め用の孔を設けた垂直部分と対向するＣ形断面の背面に切欠を設けてドライバーを挿通してネジ止めできるようにした請求項１に記載の取り付け具。
【発明の詳細な説明】
【技術分野】
【０００１】
この発明は、電子機器の筐体を例えば壁面、柱、その他の支持体に保持させるための取り付け具に関するものである。
【背景技術】
【０００２】
比較的小型のモデム、ルータ、ハブなどの電子機器を、設置場所の規制などの関係から、壁面、柱、その他の支持体に取り付けたい場合がある（例えば、無線ルータなどでは通信状態を良くするために高い場所に設けたいので）。この取り付けでは、それら機器には電源ケーブルを始め複数のＬＡＮケーブルを接続することが予想されるため、接続された電源ケーブルやＬＡＮケーブルの重みで「がたつく」ことがないようにしっかりと固定する必要がある。
【０００３】
そこで、このような取り付けには、（例えば特許文献１）に示すような壁掛け金具を用いる方法が行われていた。
【０００４】
この方法は、概ね、次のようなものである。すなわち、図１１（ａ）に示すように、係合片１を設けた壁面用の金具Ａと、その金具Ａの係合片１と係合するホルダー部２を設けた金具Ｂとを準備して、前記金具Ｂを電子機器の筐体３に取り付け、金具Ａを壁面にネジ止めする。こうすることで、図１１（ｂ）のように、壁面に取り付けた金具Ａの係合片１に、金具Ｂのホルダー部２を係止させれば、ワンタッチで壁面に電子機器を取り付けられるというものである。
【０００５】
ところで、このような方法では、電子機器の筐体３に金具Ｂを取り付けるので、予め、電子機器の筐体３に金具Ｂを取り付ける機構を設けておくか、あるいは、予めホルダー部２を筐体３に作り込むことが考えられる。
【０００６】
ところが、先の電子機器は床やテーブルなどに据え置くのが本来の使用形態なので、予め、取り付けるための機構を設けたり、ホルダー部２を筐体に作り込むことは、コスト高になったり、本来のデザインを損なう恐れもある。特に、筐体３がプラスチックであると、ホルダー部２を筐体３に作り込む際に強度的に不利になる恐れもある。
【０００７】
そのため、図１１（ｃ）に示すように、壁掛け金具に筐体３を直接保持させるとともに、壁掛け金具に筐体３の止めネジ（シャーシに固定するためのネジ）の位置に合わせてネジ止め用の孔４を設けることにより、筐体３のネジを使って壁掛け金具に固定するという方法も考えられる。このような方法を使えば、金具Ｂを取り付けるための機構を予め設けたり、ホルダーを予め筐体に作り込む必要がなく、コスト高になったり、本来のデザインを損なう恐れもない。
【特許文献１】特開２００２−１５８４５６号公報
【発明の開示】
【発明が解決しようとする課題】
【０００８】
しかしながら、筐体のネジを使って固定する方法では、筐体のネジに合わせて壁掛け金具にネジ孔を設けなければならないので、壁掛け金具が特定の筐体専用のものとなってしまいコスト高になる問題がある。
【０００９】
また、取り付けには、筐体を止めているネジを一旦外さなければならないので、筐体が開いてしまって中の回路を傷つけたり、外したネジを失ったり、筐体自体を傷つけるなどのトラブルを発生する問題もある。
【００１０】
さらに、プラスチックで形成したネジを用いない筐体のものには適用できない問題がある。
【００１１】
そこで、この発明の課題は、コスト高になったり、デザインを損なうことなく、かつ、筐体内の回路や筐体自体を傷つけたり、ネジを失ったりすることなく、また、ネジの有る無しにかかわらず筐体が「がたつく」ことがないようにしっかりと固定できるようにすることである。
【課題を解決するための手段】
【００１２】
上記の課題を解決するため、この発明では、電子機器の筐体を保持するＣ形断面の開口端に突起を設け、その突起に弾性体で形成したキャップを取り付けて筐体に圧接するようにした構成を採用したのである。
【００１３】
このような構成を採用することにより、取り付け具に保持された電子機器の筐体は、突起の弾性体で形成したキャップが圧接することにより、「がたつき」を防止して固定することができる。そのため、筐体内の回路や筐体自体を傷つけたり、ネジを失うこともない。
【００１４】
このとき、上記筐体をＬＡＮ用のルータのものとし、一方、前記筐体を保持する上記Ｃ形断面の背面に複数のＬ形の係止片を、Ｌ形の垂直部分を背面と並行になるようにＬ形上部の開口を外側にして設け、そのＬ形の垂直部分と対向するＣ形断面の背面との間にケーブルを巻き付けられるようにするとともに、その並行に設けた垂直部分に吊り下げ用の貫通孔を設けた構成を採用することができる。
【００１５】
このような構成を採用することにより、壁面に吊り下げた際に、弾性体のキャップを取り付けた突起によって筐体の「がたつき」を防止して固定できる。また、筐体内の回路や筐体自体を傷つけたり、ネジを失うこともない。さらに、Ｌ形の係止片に余分なケーブルを巻回すれば、垂れ下がったケーブルにより筐体にかかる重みも軽減できるので、ケーブルによる「がたつき」も防止して固定できる。
【００１６】
また、上記筐体をＬＡＮ用のルータのものとし、一方、前記筐体を保持する上記Ｃ形断面の背面に複数のＬ形の係止片を、Ｌ形の垂直部分を背面と並行になるようにＬ形上部の開口を外側にして設け、そのＬ形の垂直部分と対向するＣ形断面の背面との間にケーブルを巻き付けられるようにするとともに、その並行に設けた垂直部分にネジ止め用の孔を設け、かつ、前記ネジ孔止め用の孔を設けた垂直部分と対向するＣ形断面の背面に切欠を設けてドライバーを挿通してネジ止めできるようにした構成を採用することができる。
【００１７】
このような構成を採用することにより、壁面にネジ止めした際に、弾性体のキャップを取り付けた突起によって筐体の「がたつき」を防止して固定できる。また、筐体内の回路や筐体自体を傷つけたり、ネジを失うこともない。さらに、Ｌ形の係止片に余分なケーブルを巻回すれば、垂れ下がったケーブルにより筐体にかかる重みを軽減できるので、ケーブルによる「がたつき」も防止して固定できる。
【発明の効果】
【００１８】
この発明は、以上のように構成したことにより、筐体本体に特別な機構を必要とせず、また、ネジの有る無しに係わらず、一般工具で取り付けができる。さらに、筐体や中の回路にキズをつけずに、部品点数を減少できて、取り付け時の美観も損なわない。
【発明を実施するための最良の形態】
【００１９】
以下、この発明の最良の形態を図面に基づいて説明する。
【００２０】
この形態の取り付け具Ｃは、図１に示すように、上面１０、背面１１、下面１２で構成されるＣ形断面を有する金具で、側部のストッパー１３に当接するまで、図１のように横方向へスライドさせることにより、無線ルータなどの角張った筐体３を図２のように保持できるようにしている。
【００２１】
そのため、前記取り付け具Ｃは、Ｃ形断面の開口１４の端部を折曲した係止部１５の先に図１に示すような突起１６を設け、その突起１６に弾性体で形成したキャップ１７を取り付けている。
【００２２】
すなわち、ここでは、Ｃ形断面の開口１４の上方の端部に、下方に向けた突起１６を２個並列に間隔をおいて形成し、下方の端部に上方に向けた２個の突起１６を並列に間隔を置いて形成して、その突起１６に、弾性体であるゴムを用いた厚みのあるキャップ１７を被せることにより、筐体３や筐体３内の回路を傷つけずに圧接できるようにしている。
【００２３】
また、図３に示すように、取り付け具Ｃの背面１１に複数の係止片１８を設けて、壁面や柱に取り付けられるようにしてある。前記係止片１８は、４個のＬ形の係止片１８からなるもので、Ｌ形の垂直部分を背面１１と並行になるように開口を外側にして（時計の１２時方向から）９０°間隔で放射状に設けてある。また、その１２時方向に設けた係止片１８の垂直部分に吊り下げ用の貫通孔１９を設けている。この貫通孔１９は、円形の貫通孔に細い長孔を連通させたオタマジャクシ様のもので、円形の貫通孔に壁面などに取り付けたネジの頭を挿通したのち、ネジ軸を長孔に挿通すれば抜け落ちを防止して取り付けられるようにしてある。
【００２４】
加えて、各係止片１８には、ネジ止め用の孔２０を設けて壁面に直接ネジ止めできるようにもしてある。このため、背面１１を切り欠いて各係止片１８を形成し、ネジ止めのための切欠２１を設けて木ネジやドライバーを挿通できるようにしてある。
【００２５】
また、このＬ形の係止片１８は、壁面や柱の固定用に使用するばかりでなく、ケーブル２２などの線材のホルダーとしても使用するためのものである。
【００２６】
すなわち、図３のように、例えば余分なケーブル２２を巻回すれば、垂れ下がったケーブル２２の重みが直接筐体３に掛かることを軽減できるので、この重みによる「がたつき」を防止して固定できる。
【００２７】
なお、この形態では、係止片１８を４個としたが、これに限定されるものではなく、取り付けが安定にでき、かつ、ケーブル２２を巻き付けられるのであれば、その個数は適宜決めることができる。
【００２８】
さらに、この取り付け具Ｃには、カーテンレールを利用して住宅などを傷つけずに、かつ、美観を損なわずに取り付けるための機構を図４に示すように、上面１０と下面１２に設けてある。
【００２９】
前記上面１０の機構は、摺動板２４を上面１０の内（下）側に嵌める構造で、図５のように、装飾レールと機能レールの２種類に分類される内の機能レールと言われるカーテンレール２３のランナーを嵌めた溝２５に係合させて吊り下げるようにしたものである。
【００３０】
すなわち、この形態では、図４のように、前記上面１０に、一列に５個の窓２６を設け、その５個の窓２６の内側の２個に外向きに折り曲げた略Ｌ形の突片２７を設けてある。また、両端とその内側の窓（突片２７を設けた窓）２６との間に（図４では突起１６が形成された部分に）、前後方向に伸びる長孔２８を設けている。さらに、その長孔２８と突起１６の間に孔２９を設けて、スプリング３０の一端を掛けるようにしている。また、長孔２８と内側の窓２６との間にネジ溝を切ったネジ孔３１を設けてある。
【００３１】
一方、摺動板２４は、図４のように、両端にゴム製のカバー３２を取り付けたレバー部３３を有する上面１０よりも長くて細い板で、上面１０の３個の窓２６（突片２７の無いもの）と対応する３箇所に窓２６’を設けて、外向きに折り曲げた略Ｌ形の突片２７’を設けてある。この突片２７’は、上面１０の突片２７と逆向きとなるように図４では手前側に折り曲げてある。また、上面１０の長孔２８と対応する位置に半円状の切欠３４を設けて、その切欠３４に先のスプリング３０を嵌入して、図６に示すように、嵌入したスプリング３０の他端を切欠３４の先端の先に設けた孔３５に止めるようにしている。さらに、その横に長孔３６を設けて上面１０の内側に取り付けた際に、上面１０のネジ孔３１と合致するようにしてある。
【００３２】
そして、図６のように、上面１０の窓２６から摺動板２４の突片２７’が覗くように摺動板２４を上面１０の内（下）側に配置して、上面１０のネジ孔３１に摺動板２４の長孔２８を介してネジ３７で止める。このとき、ネジ３７は、摺動板２４が軽く動く程度に締めておく。そして、上面１０の長孔２８と摺動板２４の孔３５とにスプリング３０を掛ける。こうすると、スプリング３０でもって付勢された摺動板２４は図６の矢印の方向へ引っ張られるので、摺動板２４の突片２７’は、上面１０の窓２６に当接した状態で止まる。
【００３３】
このため、カーテンレール２３に取り付ける際は、レバー部３３を押して摺動板２４を矢印と逆の方向へ動かし、摺動板２４と上面１０の突片２７、２７’を揃えてカーテンレール２３の溝２５に嵌めたのち、レバー部３３を解放する。すると、摺動板２４がスプリング３０によって矢印の方向に引っ張られ、カーテンレール２３の溝２５に突片２７、２７’が係合して止まり、ワンタッチで取り付けが完了する。取り外す場合は、先と逆の手順でワンタッチで簡単に取り外すことができる。
【００３４】
このように突片２７、２７’が移動してカーテンレール２３の溝２５に係合する仕組みなので、取り付けられるカーテンレール２３の寸法は、カーテンレール２３の溝２５よりも上面１０に形成される窓２６が大きければ取り付けることができる。
【００３５】
次に、下面１２の機構は、筐体３をカーテンレール（装飾、機能レール共）２３の上部に載置できるようにしたもので、図５のように、カーテンレール２３に挟持板３８を圧着する構造となっている。
【００３６】
すなわち、図５のように、下面１２の前後にネジ止め用の突起４０と挟持用の突起３９を対向させて設け、そのネジ止め用の突起４０に挟持板３８をネジ止めするようにしている。
【００３７】
前記挟持用の突起３９は、下面１２の後縁（背面１１側）に間隔を置いて形成された２個の突起３９で、その２個の突起３９に、ゴムなどの弾性体で形成した厚みのあるキャップ４１を取り付けている。
【００３８】
また、ネジ止め用の突起４０は、図４のように、前記挟持用の突起３９の間に位置するように前記下面１２の前縁に設けている。そのネジ止め用の突起４０の中央にはネジ溝の切られたネジ孔を形成して挟持板３８をネジ止めできるようにしている。
【００３９】
挟持板３８は、図４のように中央に段を設けて高くしたもので、高くした中央に貫通孔４７を設けてネジの軸を挿通できるようにしてある。また、挟持板３８の左右には弾性体で形成した厚みのあるキャップ４１（挟持用の突起３９と同じもの）を取り付けてネジ止めするときに挟持用の突起３９と対向するようにしている。このとき、ネジ止め用の突起４０にガイド用の溝４３を設け、挟持板３８に突部４４を設けて取り付け位置がずれないようにしている。また、ネジ止め用の突起４０に挟持板３８をネジ止めする際に、スプリング４５を介在させて取り付けることにより、ネジの緩みを防止するようにしている。
【００４０】
なお、このように挟持板３８に段を設けた構造としたことにより、段の大きさ（高さ）を変えると、対向する挟持用の突起３９との距離を調節できるので、段の大きさの異なる挟持板３８を準備すれば、大きさの異なるカーテンレール２３にも対処できる。
【００４１】
また、図中符号４６のネジは、筐体３の抜け止めのためのもので、符号４７のネジ孔に取り付ける。こうすることで、筐体３の抜け落ちをネジ４６が邪魔をして防止することができる。
【００４２】
この形態は上記のように構成されており、この取り付け具Ｃを使って壁面などのネジやクギに吊り下げて取り付ける場合は、例えば、まず図１のように、筐体３をスライドさせて横から挿入して取り付け具Ｃに取り付ける（ストッパー１３に当接するまで）。すると、挿入した筐体３に厚みのある突起１６のキャップ１７が筐体３に圧接して「がたつき」を防止して固定する。このとき、ネジ４６を取り付ければ、抜け落ちを確実に防止できるので好ましい。また、メンテナンスのため筐体３を取り付け具Ｃから外す場合は、筐体３は、筐体３を突起１６のキャップ１７でもって圧接しているだけなので、逆の手順で簡単に取り外せるので好ましい。
【００４３】
このように筐体３を固定した取り付け具Ｃは、図７（ａ）のように、壁面に取り付けたネジＳに背面１１の係止片１８の吊り下げ用の貫通孔１９を嵌めれば、壁面への取り付けが完了する。あとは、ケーブル２２などを接続して、その際、余分なケーブル２２を係止片１８に巻き付ければ、ケーブル２２が垂れ下がらず、筐体３にかかる余分な重みを軽減できるので「がたつき」を防止できる。
【００４４】
次に、取り付け具Ｃを使って壁面や柱などに直接ネジ止めする場合は、取り付け具Ｃの係止片１８を図７（ｂ）のように取り付ける面に当接する。そして、背面１１に設けた切欠２１から係止片１８のネジ止め用の孔２０に木ネジＳ１を挿通し、ドライバーで取り付ける。こうして取り付け具Ｃを取り付けておいて、ルータなどの筐体３を取り付け具Ｃの横からストッパー１３に当接するまで挿入する。すると、挿入した筐体３に突起１６の厚みのあるキャップ１７が筐体３に圧接して「がたつき」を防止して固定することができる。このあと、好ましくは、ネジ４６を取り付けて抜け落ちを防止する。こののち、ケーブル２２などを接続して、余分なケーブル２２を係止片１８に巻き付ければ、垂れ下がった余分なケーブル２２による筐体３にかかる重みを軽減できるので、「がたつき」を防止できる。
【００４５】
一方、カーテンレール２３に吊り下げる場合は、まず、先の場合のように筐体３をスライドさせて横から挿入して取り付ける（これに限定されることはなく、筐体３を後で取り付けても可）と、挿入した筐体３に突起１６の厚みのあるキャップ１７が筐体３に圧接して「がたつき」を防止して固定する。このとき、カーテンレール２３は比較的高い位置にあるので、ネジ４６を取り付けて抜け落ちを防止する方が危険を回避できて好ましい。
【００４６】
このように、筐体３を取り付けた取り付け具Ｃは、レバー部３３を押して、摺動板２４を図６の矢印と逆の方向へ動かし、摺動板２４と上面１０の突片２７を揃えてカーテンレール２３の溝２５に嵌めたのち、レバー部３３を離す。すると、摺動板２５がスプリング３０によって矢印の方向に引っ張られ、カーテンレール２３の溝２５に突片２７が係止して止まり、図８（ａ）のように取り付けが完了する。
【００４７】
あとは、ケーブル２２などを接続して、その際、余分なケーブルを係止片１８に巻き付ければ、筐体３にかかる垂れ下がった余分なケーブル２２の重みを軽減できるので、「がたつき」を防止して固定できる。
【００４８】
また、取り付け具Ｃを使ってカーテンレール２３の上部に取り付ける場合は、先の場合と同様に、まず、筐体３を横にスライドさせて横から取り付け具Ｃに挿入して取り付け具Ｃに取り付ける。同時に抜け止め用のネジ４６も取り付けておく（高い位置に取り付けるのでこの方が好ましい）。このように筐体３の取り付けられた取り付け具Ｃは、下面１２のネジ止め用の突起４０の止めネジを緩めて挟持板３８を動かし、対向する挟持用の突起３９との距離を大きくする。そして、挟持板３８と挟持用の突起３９との間にカーテンレール２３を挟んだのち、ネジを締めて挟持板３８と挟持用の突起３９とでカーテンレール２３を圧接して固定する。すると、図８（ｂ）のように取り付けることができる。取り付けができると、ケーブル２２などを接続する。このとき、余分なケーブル２２は係止片１８に巻き付ければ、余分なケーブルの筐体３にかかる重みを軽減できるので、「がたつき」を防止して固定できる。
【００４９】
なお、本形態では、取り付け具Ｃを金具としたが、これに限定されるものではなく、強度さえ十分なら樹脂などを用いたものでも良い。また、取り付け具ＣのＣ形断面は、上面１０、背面１１、下面１２に分かれたものでなくとも一体のものでもよく、また、筐体３もＣ形断面の取り付け具Ｃで保持できるものであれば角形である必要はない筈なので、例えば、図９に示すような曲面を有するものでも良い。
【００５０】
また、この形態では、Ｃ形断面の上下の開口端に２個づづの突起を設けるようにしたが、これに限定されるものではなく、図１０（ａ）、（ｂ）のように筐体３を固定できる形状であれば突起１６の数は限定されるものではない。
【産業上の利用可能性】
【００５１】
このように、機構が非常にシンプルで操作も簡単であり、ドライバーなどの工具がなくても簡単に誰でも筐体を固定できるので、例えば、業務用ばかりでなく、民生用の機器（ＡＶ機器を始めとして家庭内ネット機器）などの壁面取り付け具としても適用できる。
【図面の簡単な説明】
【００５２】
【図１】実施形態の斜視図
【図２】実施形態の正面図
【図３】実施形態の背面図
【図４】実施形態の分解斜視図
【図５】実施形態の断面図
【図６】実施形態の作用説明図
【図７】（ａ）、（ｂ）実施形態の作用説明図
【図８】（ａ）、（ｂ）実施形態の作用説明図
【図９】他の態様を示す作用説明図
【図１０】（ａ）、（ｂ）他の態様を示す作用説明図
【図１１】（ａ）、（ｂ）、（ｃ）従来例の作用説明図
【符号の説明】
【００５３】
３  筐体
１６  突起
１７  キャップ
１８  係止片
１９  貫通孔
２０  ネジ止め用の孔
２１  切欠
２２  ケーブル
【図１】
2005244078.tif 000003
【図２】
2005244078.tif 000004
【図３】
2005244078.tif 000005
【図４】
2005244078.tif 000006
【図５】
2005244078.tif 000007
【図６】
2005244078.tif 000008
【図７】
2005244078.tif 000009
【図８】
2005244078.tif 000010
【図９】
2005244078.tif 000011
【図１０】
2005244078.tif 000012
【図１１】
2005244078.tif 000013